(57)【要約】      （修正有）【課題】充電器において充電される充電機器の受電端子に異物が固着しても、充電される側の電子機器が載置された時に充電端子を掃除し振動させ受電端子の固着物を除去する充電端子部の構造を提供する。【解決手段】充電端子４の周囲を覆う構造であり、回転軸を有するふた３と、突起１４を有す弾性体付きノブ１１と、ノブ１１の動きを誘導するガイド１３と、を備える。前記電子機器１を載置すると前記フタ３が前記回転軸を中心として回転運動により押し下げ閉じ、かつ前記ノブ１１が前記フタ３の押下により、前記ガイド１３に沿って下方向に移動し、前記電子機器１が前記充電端子４と接触し前期ノブ１１が前記ガイド１３に沿って弾性体１２の伸縮運動で元の位置に戻る際に、前記ノブ１１に具備している突起１４が充電端子４を振動させ前記電子機器1の受電端子を摺擦させ固着物を除去する。【選択図】図６
0003174056.tif 000002
【実用新案登録請求の範囲】
【請求項１】
電子機器を充電する充電器の構造であって、
前記電子機器の挿抜と連動して開閉し自充電器への埃の浸入から保護する挿入部蓋と、
前記電子機器を挿入して前記挿入部蓋を開く動作と連動して移動するノブおよび前記ノブと接合された軸および前記軸の先端に形成された凹凸部から成る移動軸と、
前記移動軸が所定の方向に移動する際にエネルギーを蓄積する弾性体と、
前記ノブの移動方向を誘導するガイド部と、
前記凹凸部の移動と連動して振動するように接触する充電端子と、を有し、
前記電子機器が挿入されて前記挿入部蓋が開状態に移動する際に、前記凹凸部の所定の方向への移動と連動して前記充電端子を振動させると共に、前記電子機器が挿入される深さが所定の距離を超えたならば前記蓄積したエネルギーを放出し前記凹凸部が前記所定の方向とは反対の方向に移動し、前記凹凸部と接触している前記充電端子を振動させ、前記充電端子が接触する前記電子機器の受電端子部の異物を摺擦して除去することを特徴とする電子機器を充電する充電器の構造。
【考案の詳細な説明】
【技術分野】
【０００１】
本考案は電子機器を載置する充電器に関し、特に充電器の充電端子と充電器に載置される電子機器の受電端子との接触不良防止技術に関するものである。
【背景技術】
【０００２】
従来の受電端子を具備する電子機器は、受電端子を常に外部に露出しているため、塵埃や油膜等の異物が付着して充電器に載置して電子機器の受電端子と充電器の充電端子が接触しても、通電しないという欠点があった。
【０００３】
これを改善する技術として、電子機器の受電端子と接触した際に充電器側の充電端子を摺擦させて異物を掻き出すことにより、接触不良を防止するという技術がある（例えば特許文献１）。
【先行技術文献】
【特許文献】
【０００４】
【特許文献１】特開平０８−０９７８９０号公報
【考案の概要】
【考案が解決しようとする課題】
【０００５】
しかしながら、特許文献１は受電端子を充電端子で１回しか摺擦しないので異物を掻き出すには不十分なため、受電端子の異物を除去できず接触不良となる可能性があった。
【０００６】
そこで、本考案の課題は、充電器において載置される電子機器の受電端子の異物を確実に取り除く技術を提供することにある。
【課題を解決するための手段】
【０００７】
上記の課題を解決するために本考案は、電子機器を充電する充電器の構造であって、前記電子機器の挿抜と連動して開閉し自充電器への埃の浸入から保護する挿入部蓋と、前記電子機器を挿入して前記挿入部蓋を開く動作と連動して移動するノブおよび前記ノブと接合された軸および前記軸の先端に形成された凹凸部から成る移動軸と、前記移動軸が所定の方向に移動する際にエネルギーを蓄積する弾性体と、前記ノブの移動方向を誘導するガイド部と、前記凹凸部の移動と連動して振動するように接触する充電端子と、を有し、前記電子機器が挿入されて前記挿入部蓋が開状態に移動する際に、前記凹凸部の所定の方向への移動と連動して前記充電端子を振動させると共に、前記電子機器が挿入される深さが所定の距離を超えたならば前記蓄積したエネルギーを放出し前記凹凸部が前記所定の方向とは反対の方向に移動し、前記凹凸部と接触している前記充電端子を振動にさせ、前記充電端子が接触する前記電子機器の受電端子部の異物を摺擦して除去することを特徴とする。
【考案の効果】
【０００８】
本考案によれば、充電される電子機器の充電不良の原因である異物を摺擦することで除去することが可能な構造を提供できる。
【図面の簡単な説明】
【０００９】
【図１】本考案による全体構成を示す斜視図
【図２】充電器内部の断面図
【図３】ガイド溝の詳細図
【図４】ノブ部の部品詳細の斜面図
【図５】携帯電話機がフタと接触した状態の断面図
【図６】充電対象を少し押し下げたときの断面図
【図７】携帯電話機が充電器の最下部まで到達した時の断面図
【図８】携帯電話機が充電器の最下部まで押し込まれた後のノブの動きを表す断面図
【図９】バネの弾性力によりノブが元の位置に戻る途中の断面図
【図１０】携帯電話機がある状態でのノブが戻れる位置の上限を示す断面図
【図１１】携帯電話機が外される途中の断面図
【考案を実施するための形態】
【００１０】
図１は、本考案による全体構成を示す斜視図であり、携帯電話機を例として説明をする。
【００１１】
１は携帯電話機、２は充電器、３はフタ、４は充電端子、５はハケである。
【００１２】
充電器２は、フタ３が押下されることにより、端子部を振動させることが可能である。
【００１３】
充電器２は、携帯電話機１の載置する際に押し下がるフタ３と携帯電話機１に電力を供給する充電端子４を具備する。フタ３は、充電器２に具備する充電端子４に異物の付着を防ぎ先端にハケ５を備える。
【００１４】
図２は、充電器２の内部の断面図である。２は充電器、３はフタ、４は充電端子、５はハケ、１１はノブ、１２はバネ、１３はガイド溝、１４は振動用突起部、１５は回転軸、１６はフタ用突起、１７はガイド溝用突起、１８は軸である。フタ３は、ノブ１１に支えられている。ノブ１１は、フタ３を支えかつフタ３からの力を受ける突起１６と、ガイド溝１３に沿うガイド溝用突起１７と、充電端子４と接触して振動させる振動用突起１４と、これらを繋げる軸１８と、軸１８に巻きつく形で弾性力を生むバネ１２と、バネ１２の弾性力を受けつつ軸１８を回転する回転軸１５を具備する。
【００１５】
図３は、ガイド溝１３の詳細図およびガイド溝の拡大図である。ガイド溝１３は台形の形になっている。
【００１６】
図４はノブ部の斜視図である。１１はノブ、１２はバネ、１４は振動用突起部、１５は回転軸、１６はフタ用突起、１７はガイド溝用突起、１８は軸である。
【００１７】
図５は携帯電話機１がフタ３と接触した状態の断面図である。このときにフタ３は、バネ１２からの弾性力を得たノブ１１に備え付いているフタ用突起１６に支えられている。
【００１８】
図６は充電対象を少し押し下げたときの断面図である。このとき、ノブ１１は携帯電話機１からの自重を受けたフタ３により、ノブ１１が充電器内部方向に移動しようとするが、ガイド溝１３によりノブ１１に備え付いているガイド溝用突起１７により下方向へと移動を抑制され下方向へ移動するとノブ１１に備え付いている振動用突起１４が充電端子４と接触することによって振動用突起１４の形状にそって伸縮を繰り返し振動させる。また、フタ３の先端に備え付いているハケ５が充電端子４を擦ることによって充電端子４に付着した異物を除去する。このときバネ１２は引き絞られる。
【００１９】
図７は携帯電話機１が充電器２の最下部まで到達した時の断面図となっている。このときにノブ１１はノブ１１に備え付いているガイド溝用突起１７へのガイド溝１３による下方向への抑制がなくなるので充電器内部方向へと移動する。
【００２０】
図８は携帯電話機１が充電器２の最下部まで押し込まれた後のノブの動きを表す断面図である。このときにノブ１１はバネ１２からの弾性力によって戻ろうとするが、ノブ１１に備え付いているガイド溝用突起１７によりガイド溝１３に沿って充電器内部方向へと移動するように抑制され移動する。
【００２１】
図９はバネ１２の弾性力によりノブ１１が元の位置に戻る途中の断面図である。このときにバネ１２の弾性力によってノブ１１がノブ１１に備え付いているガイド溝用突起１７によりガイド溝１３に沿って上方向に移動し、ノブ１１に備え付いている振動用突起１４が充電端子４と接触することによって振動用突起１４の形状に沿って伸縮を繰り返し振動させて、携帯電話機１の受電端子に付着した異物を摺擦して除去する。
【００２２】
尚、本実施例では、振動用突起１４がバネの弾性力によって充電端子４を振動させ、受電端子に付着した異物を摺擦することで除去しているが、本願はこれに限定しない。例えば、充電端子４が、図６で携帯電話機１を少し押し下げたとき携帯電話機１の受電端子と接触し携帯電話機１の自重によって受電端子を振動させ、受電端子に付着した異物を除去するようにしてもよい。
【００２３】
図１０は携帯電話機１がある状態でのノブ１１が戻れる位置の上限を示す断面図である。このとき、バネ１２の弾性力によってガイド溝１３に沿って上方向へと移動しているノブ１１は、携帯電話機１の自重により抑制されている。
【００２４】
図１１は携帯電話機１が外される途中の断面図である。このときにフタ３はバネ１２の弾性力により上方向に移動しようとするノブ１１がガイド溝１３に沿って充電器外部方向へと移動しノブ１１に備え付いているフタ用突起１６よってフタ３を押し戻そうとしている。
【００２５】
以上説明した通り、本考案によれば、携帯電話機１が充電器２に載置すると、フタ３が押し下がり、ガイド溝１３に沿ってバネ１２を引き絞る。そして、携帯電話機１の充電端子と充電器２の受電端子が接触すると、ガイド溝１３にそって、ノブ１１は、充電器内部方向へ移動する。さらに、ノブ１１は接触を契機に引き絞られたバネ１２の弾性力によって上方向に移動するとともに受電端子を振動させ、電子機器の受電端子部の異物を摺擦して除去する。これにより、受電端子に付着した異物を確実に除去することができる。
【００２６】
また、本項案によれは、フタ３の先端にはハケ５が装着されており、携帯電話機１が充電器２に載置すると、ハケ５は充電器の充電端子を擦り、充電器の充電端子の異物を除去する。
【符号の説明】
【００２７】
１・・・携帯電話機
２・・・受電筐体
３・・・フタ
４・・・充電端子
５・・・ハケ
１１・・・ノブ
１２・・・バネ
１３・・・ガイド部
１４・・・充電端子の振動用突起部
１５・・・回転軸
１６・・・フタ用突起
１７・・・ガイド溝用突起
１８・・・軸
【図１】
0003174056.tif 000003
【図２】
0003174056.tif 000004
【図３】
0003174056.tif 000005
【図４】
0003174056.tif 000006
【図５】
0003174056.tif 000007
【図６】
0003174056.tif 000008
【図７】
0003174056.tif 000009
【図８】
0003174056.tif 000010
【図９】
0003174056.tif 000011
【図１０】
0003174056.tif 000012
【図１１】
0003174056.tif 000013